(57)【要約】  本発明は、真空ポンプを具備するクリームタイプ化粧品容器に関し、ハンドル部を一定角度回転する時、ポンピング部材のポンピング動作が行われ、内容物を吐出すると同時に容器の容積が減るように構成され、少ない力で高粘度の内容物を吐出することができるだけでなく、ハンドル部の回転角度によって内容物の吐出量を調節することができ、ユーザが、必要なだけ吐出量を調節することができる、真空ポンプを具備するクリームタイプ化粧品容器を、提供する。
2017512520.tif 000002
【特許請求の範囲】
【請求項１】
内容物を貯蔵し、内容物の使用によって容積が減る容器本体と、
前記容器本体の上部を被覆して該容器本体に結合され、ポンピング部材のポンピング動作のためのシリンダを具備する支持体と、
前記支持体のシリンダに挿入され、昇降移動によるポンピング動作によって内容物を吐出するポンピング部材と、
前記ポンピング部材の上に位置し、上面の一方の側に内容物を吐出するための内容物吐出ホールが形成された吐出部が設けられ、かつ、前記上面の他方の側にユーザが把持可能なハンドル部が形成された回転吐出部と、を含み、
前記ハンドル部を把持して、前記回転吐出部を回転させることによって、前記ポンピング部材のポンピング動作が行われ、前記内容物吐出ホールを通って内容物を吐出すること
を特徴とする、真空ポンプを具備するクリームタイプ化粧品容器。 
【請求項２】
前記容器本体の上部で、前記支持体および前記回転吐出部を被覆して該支持体および該回転吐出部に結合され、内容物の吐出量を調節できるように、前記回転吐出部を回転させるハンドル部の回転角範囲を表示する表示部が形成された固定体をさらに含むこと
を特徴とする、請求項１に記載の、真空ポンプを具備するクリームタイプ化粧品容器。 
【請求項３】
前記回転吐出部の内面の上部から下方へ延設され、前記回転吐出部の回転によって前記ポンピング部材を加圧する、少なくとも一つ以上の、加圧突起を具備すること
を特徴とする、請求項2に記載の、真空ポンプを具備するクリームタイプ化粧品容器。 
【請求項４】
前記ポンピング部材の上部には、前記回転吐出部の回転によって、前記加圧突起によって加圧されるポンピングガイド突起が設けられ、前記ポンプガイド突起は前記回転吐出部の回転時、前記加圧突起がポンピングガイド突起の上端面に沿って移動するように一方の側から他方の側へ緩い傾斜面が形成されること、
を特徴とする、請求項3に記載の、真空ポンプを具備するクリームタイプ化粧品容器。 
【請求項５】
前記ハンドル部によって回転吐出部を回転する時、前記加圧突起が前記ポンピングガイド突起の上面に沿って移動する過程で、前記ハンドル部の回転角度によって決まる前記ポンピングガイド突起の傾斜面の高さの差異により、前記ポンピング部材のストローク距離を調節し、内容物の吐出量を調節すること
を特徴とする、請求項4に記載の、真空ポンプを具備するクリームタイプ化粧品容器。 
【請求項６】
前記ポンピングガイド突起の先端には、前記加圧突起の移動を制限する制限部が設けられること
を特徴とする、請求項4に記載の、真空ポンプを具備するクリームタイプ化粧品容器。 
【請求項７】
前記ポンピング部材と回転吐出部の間には、前記ポンピング部材から吐出される内容物を、前記内容物吐出ホールへ移動させる内容物移動部がさらに含まれ、
前記内容物移動部は、前記ポンピング部材の上部に結合される挿入管と、前記挿入管から上方向へ突出し、前記ボタン部に結合され、前記内容物吐出ホールと連通し、前記挿入管を通って垂直方向へ移動する内容物の移動方向を転換し、一方の側に偏っておかれた前記内容物吐出ホールに内容物が移動する通路を形成する連通部と、を具備すること
を特徴とする、請求項１に記載の、真空ポンプを具備するクリームタイプ化粧品容器。 
【請求項８】
前記支持体には、前記ポンピング部材の昇降時、一方の側に傾くことを防止するように、前記ポンピング部材の垂直移動をガイドする垂直ガイド溝が形成され、前記ポンピング部材の外周面には、前記垂直ガイド溝に沿って昇降する垂直ガイド突起が設けられること
を特徴とする、請求項１に記載の、真空ポンプを具備するクリームタイプ化粧品容器。
【発明の詳細な説明】
【技術分野】
【０００１】
本発明は、真空ポンプを具備するクリームタイプ化粧品容器に関し、より詳細には、ハンドル部を一定角度回転した時、ポンピング部材のポンピング動作が行われ、内容物を吐出するように構成され、少ない力で高粘度の内容物を吐出することが可能で、かつ、ハンドル部の回転角度によって、内容物の吐出量を調節するように構成することにより、ユーザが必要なだけ吐出量を調節して使用することが可能な真空ポンプを具備したクリームタイプ化粧品容器に関する。 
【背景技術】
【０００２】
一般的に真空化粧品容器は、化粧品容器に収容される内容物と空気との接触を遮断するように構成することで、内容物を収容する容器本体と、前記容器本体の上部を被覆して該容器本体に結合され、ポンピング部材を支持する支持体と、前記支持体に結合され、容器本体の内部を真空状態にしてポンピング動作によって内容物を排出するポンピング部材と、前記ポンピング部材の上部に位置して、ユーザの加圧によってポンピング部材を加圧し、中央部に内容物排出ホールが形成されたボタン部と、で構成される。 
【０００３】
前記のような構成で形成された真空化粧品容器は、ボタン部の上面に、中央に行くに連れて窪んだ凹部が形成され、該凹部に吐出される内容物を手につけて使用するように構成される。しかし、内容物排出ホールがボタン部の中央に位置するので、ボタン部の中央部を加圧してポンピング動作を進めることができない構造であるため、排出ホールを中心に、ボタン部内の一方の側を加圧するか、前記上面の両側を加圧してポンピング動作を行うことになる。 
【０００４】
しかし、片手でボタン部内の一方の側を加圧する場合、ボタン部が一方の側に傾き、正常なポンピング作用が行われなくなり、内容物を一定に排出することが難しいという問題点があった。 
【０００５】
また、ユーザが、排出ホールを中心に、ボタン部の両側を加圧してポンピング動作を進める場合、両手を使用するので、ユーザに不便をもたらすという問題があった。 
【０００６】
前記のような問題を解消するための「真空ポンプを具備するクリームタイプ化粧品容器」が韓国特許第10-2013-0107388号公報（以下、「特許文献１」とする）に開示されている。 
【０００７】
前記特許文献１のクリームタイプ化粧品容器は、
外容器と、
前記外容器の内部に結合され、内容物が収容され、内容物の使用によって上昇するピストンを内部に具備し、その下端には、前記ピストンを上昇させるための空気が流入するように空気流入ホールが形成された内容器と、
前記外容器の上部を被覆して該外容器に結合されポンピング部材を支持する支持体と、
前記支持体に結合されポンピング作用によって内容物を排出するポンピング部材と、
前記ポンピング部材の上に位置してポンピング部材を加圧し、上面中央部にポンピング部材を加圧するためのユーザの指が定置するように加圧表示部が形成され、前記加圧表示部から一方の側に偏った位置に内容物排出ホールが形成された排出部が下方へ窪むように凹設されたボタン部と、
前記ポンピング部材の上部に結合される結合管と、
前記結合管から上方向へ突出し、前記ボタン部に結合し、前記内容物排出ホールと連通し、前記結合管を通って垂直方向へ移動する内容物の移動方向を転換し、一方の側に偏っておかれた前記内容物排出ホールに内容物が移動する通路を形成する連通部を備えた内容物移動部と、
を含み、
前記外容器の上端に、前記内容器の下端に形成される空気流入ホールに空気が移動し、ピストンが上昇することができるように、前記上端の一部が開口された空気移動ホールを、少なくとも1つ以上具備することが特徴である。 
【０００８】
しかし、前記特許文献１は、ボタン部の加圧によって内容物の吐出が行われる構造なので、高粘度の内容物を吐出するために比較的強い力が必要なだけでなく、ボタン部を加圧時、常に一定量の内容物が吐出されるため、ユーザが必要なだけ内容物を吐出して使用することが困難なので、必要な量より多い内容物が吐出された場合、無理に使用せざるを得ず、内容物を不要に消耗させるという問題があった。 
【先行技術文献】
【特許文献】
【０００９】
【特許文献１】韓国特許第10-2013-0107388号公報
【発明の概要】
【発明が解決しようとする課題】
【００１０】
本発明は、上述した問題点を解決するために、創作されたもので、本発明の目的は、ハンドル部を一定角度回転した時、ポンピング部材のポンピング動作が行われ、内容物を吐出するように構成され、少ない力でも高粘度の内容物を吐出することができるだけでなく、ハンドル部の回転角度によって内容物の吐出量を調節することができるように構成することにより、ユーザが必要なだけ吐出量を調節して使用することができる、真空ポンプを具備するクリームタイプ化粧品容器を提供することである。 
【課題を解決するための手段】
【００１１】
前記のような問題点を解決するために、本発明に係る、真空ポンプを具備するクリームタイプ化粧品容器は、
内容物を貯蔵し内容物の使用によって容積が減る容器本体と、
前記容器本体の上部を被覆して該容器本体に結合され、シリンダを具備する支持体と、
前記支持体のシリンダに挿入され、昇降移動によるポンピング動作によって内容物を吐出するポンピング部材と、
前記ポンピング部材の上に位置し、上面の一方の側に内容物を吐出するための内容物吐出ホールが形成された吐出部が設けられ、前記上面の他方の側にユーザが把持可能なハンドル部が形成された回転吐出部と、が設けられ、
前記ハンドル部を把持して、前記回転吐出部を回転させることによって、前記ポンピング部材のポンピング動作が行われ、前記内容物吐出ホールを通って内容物を吐出するように構成されることを特徴とする。 
【００１２】
また、前記容器本体の上部で、前記支持体および前記回転吐出部を被覆して該支持体および該回転吐出部に結合され、内容物の吐出量を調節できるように、前記回転吐出部を回転させるハンドル部の回転角範囲を表示する表示部が形成された固定体をさらに含むことを特徴とする。 
【００１３】
また、前記回転吐出部の内部の上側から下側方向へ延長され、前記回転吐出部の回転によって前記ポンピング部材を加圧する少なくとも一つ以上の加圧突起を具備することを特徴とする。 
【００１４】
また、前記ポンピング部材の上端には、前記回転吐出部の回転によって、前記加圧突起によって加圧されるポンピングガイド突起が具備され、前記ポンプガイド突起は前記回転吐出部の回転時、前記加圧突起がポンプガイド突起の上端面に沿って移動するように一方の側から他方の側へ緩い傾斜面が形成されることを特徴とする。 
【００１５】
また、前記ハンドル部によって回転吐出部を回転する時、前記加圧突起が前記ポンピングガイド突起の上面に沿って移動する過程で、前記ハンドル部の回転角度によって決まる前記ポンピングガイド突起の傾斜面の高さの差異により、前記ポンピング部材のストローク距離が調節され、内容物の吐出量が調節されるように構成されることを特徴とする。 
【００１６】
また、前記ポンピングガイド突起の先端には、前記加圧突起の移動を制限する制限部が設けられることを特徴とする。 
【００１７】
また、前記ポンピング部材と回転吐出部の間には、前記ポンピング部材から吐出される内容物を、前記内容物吐出ホールへ移動させる内容物移動部がさらに含まれ、前記内容物移動部は、前記ポンピング部材の上部に結合される挿入管と、前記挿入管から上方向へ突出し、前記ボタン部に結合し、前記内容物吐出ホールと連通し、前記挿入管を通って垂直方向へ移動する内容物の移動方向を転換し、一方の側に偏っておかれた前記内容物吐出ホールに内容物が移動する通路を形成する連通部と、で構成されることを特徴とする。 
【００１８】
また、前記支持体には、前記ポンピング部材の昇降時、一方の側に傾くことを防止するように、前記ポンピング部材の垂直移動をガイドする垂直ガイド溝が形成され、前記ポンピング部材の外周面には、前記垂直ガイド溝に沿って昇降する垂直ガイド突起が設けられることを特徴とする。 
【発明の効果】
【００１９】
上述のように、本発明によれば、ハンドル部を一定角度回転時、ポンピング部材がポンピング動作をし、内容物を吐出するように構成され、少ない力で高粘度の内容物を吐出することができるだけでなく、ハンドル部の回転角度によって内容物の吐出量を調節することができるように構成することにより、ユーザが、必要なだけ吐出量を調節して使用することができるという長所がある。 
【図面の簡単な説明】
【００２０】
【図１】本発明の好ましい実施例に係る真空ポンプを具備するクリームタイプ化粧品容器の構成を示す分解斜視図である。
【図２】本発明の好ましい実施例に係る真空ポンプを具備するクリームタイプ化粧品容器の構成を示す組立斜視図である。
【図３】本発明の好ましい実施例に係る真空ポンプを具備するクリームタイプ化粧品容器の構成を示す断面図である。
【図４】本発明の好ましい実施例に係る真空ポンプを具備するクリームタイプ化粧品容器の使用方法を示す説明図である。
【図５】本発明の好ましい実施例に係る真空ポンプを具備するクリームタイプ化粧品容器の使用方法を示す説明図である。
【図６】本発明の好ましい実施例に係る真空ポンプを具備するクリームタイプ化粧品容器の使用方法を示す説明図である。
【図７】本発明の好ましい実施例に係る真空ポンプを具備するクリームタイプ化粧品容器の使用方法を示す説明図である。
【図８】図8(a)、(b)は、本発明の好ましい実施例に係る真空ポンプを具備するクリームタイプ化粧品容器の使用方法を示す説明図である。
【図９】本発明の他の実施例に係る真空ポンプを具備するクリームタイプ化粧品容器の構成を示す分解斜視図である。
【図１０】本発明の他の実施例に係る真空ポンプを具備するクリームタイプ化粧品容器の使用方法を示す説明図である。
【図１１】本発明の他の実施例に係る真空ポンプを具備するクリームタイプ化粧品容器の使用方法を示す説明図である。
【図１２】本発明の他の実施例に係る真空ポンプを具備するクリームタイプ化粧品容器の使用方法を示す説明図である。
【発明を実施するための形態】
【００２１】
以下、図面を参照して、本発明を詳細に説明する。各図面に提示された同一の参照符号は同一の部材を示す。 
【実施例１】
【００２２】
図1は、本発明の好ましい実施例に係る、真空ポンプを具備するクリームタイプ化粧品容器の構成を示す分解斜視図であり、図2は、本発明の好ましい実施例に係る、真空ポンプを具備するクリームタイプ化粧品容器の構成を示す組立斜視図であり、図3は、本発明の好ましい実施例に係る、真空ポンプを具備するクリームタイプ化粧品容器の構成を示す断面図である。 
【００２３】
図1〜3を参照すると、本発明の好ましい実施例に係る、真空ポンプを具備するクリームタイプ化粧品容器は、容器本体100、支持体200、ポンピング部材300、回転吐出部400、固定体500、内容物移動部 600、オーバーキャップ700を含む。 
【００２４】
前記容器本体100は、外容器110と内容器120の二重容器で構成され、外容器110に収容される内容器120に内容物が貯蔵される。前記内容器120は、内容物の使用によって上昇するピストンを内側に設置する、または、内容物の使用によって吸着される軟質の材料で構成する、等の、内容物の使用によって容積が減少する、多様な容器で構成することができる。 
【００２５】
また、前記容器本体100は、外容器110と内容器120の二重容器で構成しないで、単容器で構成し、内容物を貯蔵することもできる。 
【００２６】
前記支持体200は、前記容器本体100の上部を被覆して該容器本体100に結合され、ポンピング部材300のピストンロッド320およびシールキャップ330が昇降してポンピング動作ができるようにシリンダ210を具備し、前記シリンダ210の下端には、ポンピング部材300の作動時に内容器120に貯蔵された内容物が流入するように、内容物流入ホール211が形成され、前記内容物流入ホール211の上端には、ポンピング部材300の作動有無によって開閉するチェックバルブ212が設けられる。 
【００２７】
また、前記支持体200には、ポンピング部材300の外周面に形成された垂直ガイド突起312が挿入され昇降することができるように、垂直ガイド溝220が形成され、前記垂直ガイド溝220は、ポンピング部材300の昇降時、ポンプ本体310が一方の側に傾かないで、垂直移動するようにガイドする。 
【００２８】
前記ポンピング部材300は、前記支持体200のシリンダ210に挿入され、昇降移動によるポンピング動作によって内容物を吐出するためのポンプ本体310、ピストンロッド320、及びシールキャップ330を含む。
【００２９】
前記ポンプ本体310は、内容物移動部600の挿入管310に移動可能に結合され、加圧突起460、621の加圧有無によって、昇降することで、挿入管310と結合することができるように中央部に結合管311が形成される。 
【００３０】
本発明に係わる、真空ポンプを具備するクリームタイプ化粧品容器は、前記ポンプ本体310の上端に、後述する回転吐出部400の回転に伴って、加圧突起460、621によって加圧されるポンピングガイド突起313を具備することが特徴である。前記ポンピングガイド突起313は、回転吐出部400の回転時、加圧突起460、621がポンピングガイド突起313の上面に沿って移動するように一方の側から他方の側へ緩い傾斜面を形成するように構成され、該緩い傾斜面が形成されることで、ハンドル部420の操作による回転吐出部400の回転角度によって、ポンピング部材300のストローク距離が調節され、内容物の吐出量を調節して吐出することができる。 
【００３１】
一方、前記ポンピングガイド突起313の先端には、回転吐出部400の回転角度を制御するために加圧突起460、621の移動を制限する制限部314が形成される。 
【００３２】
前記ポンプ本体310は、その内部上側がスプリング（S）によって支持されている。ユーザがハンドル部420を操作する加圧力を解除すると、前記ポンプ本体310はスプリング（S）の弾性力によって上部に移動する。前記ポンプ本体310が上部に移動する過程で、加圧突起460、621がポンピングガイド突起313の傾斜面に沿って加圧時と反対方向に移動し、次のポンピング動作のための状態に戻される。 
【００３３】
一方、前記ポンプ本体310の外周面には、ポンプ本体310の昇降時、一方の側に傾かないで、垂直移動することができるように、前記垂直ガイド溝220に沿って昇降する垂直ガイド突起312が形成される。 
【００３４】
前記ピストンロッド320は、前記ポンプ本体310の内側に結合され、ポンプ本体310の移動に伴って一緒に移動する。該ピストンロッド320の外周面には、シリンダ210の内壁に密着し、ピストンロッド320の昇降に伴って一緒に移動し、シリンダ210の内部の圧力を変化させるシールキャップ330が結合される。 
【００３５】
前記回転吐出部400は、前記ポンピング部材300の上に位置し、上面の一方の側には内容物が吐出されるように、内容物吐出ホール411が形成された吐出部410が形成され、前記上面の他方の側にはユーザが把持可能なハンドル部420が設けられる。本発明において、前記回転吐出部400は、ユーザが前記ハンドル部420を把持して回転吐出部400を回転させることによって、前記ポンピング部材300のポンピング動作が行われ、前記内容物吐出ホール411を通って、内容物を吐出するように構成されることが特徴である。 
【００３６】
このために、前記回転吐出部400の内部上側には、上側から下方へ延長され、前記回転吐出部400の回転に伴って、前記ポンピング部材300のポンピングガイド突起313を加圧する、少なくとも一つ以上の加圧突起460が具備され、前記ハンドル部420によって回転吐出部400を回転した時、前記加圧突起460が前記ポンピングガイド突起313の上面に沿って移動する過程で、ハンドル部420の回転角度によって決まる前記ポンピングガイド突起313の傾斜面の高さの差異により、前記ポンピング部材300のストローク距離が調節されることで、内容物の吐出量を調節することができる。 
【００３７】
前記加圧突起460は、ポンプガイド突起313の傾斜面に沿って移動する過程で軋轢が発生しないように、その下端部が傾斜面に対応する形状で構成されることが好ましい。 
【００３８】
一方、前記ハンドル部420には、回転吐出部400の前記上面に形成された結合ホール430に結合することができるように結合突起421が形成される。本発明の図面では、ハンドル部420が回転吐出部400に嵌合するものとして図示したが、ハンドル部420を回転吐出部400と一体に形成することもできる。 
【００３９】
一方、前記回転吐出部400の側面には、回転吐出部400の上方向への移動を防止するために、後述する固定体500の固定部520によって支持される固定突起440が形成される。 
【００４０】
一方、前記吐出部410は、前記回転吐出部400の前記上面から下方向へ凹状に形成されることを特徴とし、内容物吐出ホール411を通って吐出される内容物が凹状に形成された吐出部420の上端に吐出する。前記内容物吐出ホール411には、ユーザが意図していない状態で内容物が流出することを防止し、ポンピング部材300のポンピング動作による内容物の上昇時に内容物の圧力によって開栓されるラバーチップ412を結合することが望ましい。 
【００４１】
一方、前記回転吐出部400の内側には、後述する連通部620が結合される結合部450が設けられる。 
【００４２】
前記固定体500は、前記支持体200および回転吐出部400を被覆して該支持体200および該回転吐出部400に結合され、回転吐出部400を支持するために、前記回転吐出部400の固定突起440を支持し、回転吐出部400の上方向移動を制限する固定部520が前記固定体500の内側に形成される。 
【００４３】
本発明において、前記固定体500には、前記回転吐出部400を回転させるハンドル部420の回転角範囲を表示する表示部510が形成されることを特徴とする。前記表示部510は、一定間隔離間して多数個が形成される。ユーザがハンドル部420を回転させ、多数個の表示部510の中のいずれかひとつの表示部510でハンドル部420を停止させた後に回転加圧力を解除すると、ハンドル部420が回転した角度によって、内容物の吐出量が決まる。この時、内容物の吐出量は、ハンドル部420の回転角度が大きいほど、より大きくなる。 
【００４４】
前記内容物移動部600は、前記ポンピング部材300と回転吐出部400との間に位置し、前記ポンピング部材300を通って移動する内容物を内容物吐出ホール411に移動させるために、前記ポンピング部材300の結合管311に結合される挿入管610と、前記挿入管610を通って流入する内容物が移動する通路を形成して上方向に突出し、前記回転吐出部400の内側に形成される結合部450に嵌合する連通部620と、で構成される。 
【００４５】
前記連通部620は、結合部450に嵌合し、前記内容物吐出ホール411と連通することで、ポンピング部材300から流入する内容物を内容物吐出ホール411を通って外部に吐出するように誘導する。 
【００４６】
一方、本発明では、前記連通部620の下端に、前記回転吐出部400の回転時、前記ポンピングガイド突起313を加圧する加圧突起621が具備されることが特徴である。連通部620に形成された加圧突起621は、回転吐出部400に形成された加圧突起460と同様に、前記回転吐出部400の回転によって、前記ポンピングガイド突起313の上面に沿って移動し、ポンピング部材300のストローク距離を調節することができる。 
【００４７】
前記オーバーキャップ700は、前記容器本体100の上部で回転吐出部400を被覆して、前記固定体500に着脱可能に結合されることで、前記ハンドル部420の誤作動を防止することができる。 
【００４８】
以下、図4〜8を参照して、本発明の好ましい実施例に係る真空ポンプを具備するクリームタイプ化粧品容器の使用方法を説明する。図4〜8は、本発明の好ましい実施例に係る真空ポンプを具備するクリームタイプ化粧品容器の使用方法を示す説明図である。 
【００４９】
図4〜8を参照すると、ハンドル部420を操作しない状態では、ポンプ本体310の上端に加圧突起460、621が位置し、この状態で、ユーザがハンドル部420を把持して一方の側へ回転させると、回転吐出部400が回転することにより、加圧突起460、621がポンピングガイド突起313の傾斜面に沿って移動する。 
【００５０】
上記のように、加圧突起460、621がポンピングガイド突起313の傾斜面に沿って移動すると、加圧突起460、621によってポンピングガイド突起313が加圧されることで、ポンピング部材300が下降し、ポンピング部材300のポンピング動作によって内容物の吐出が行われる。ユーザがハンドル部420を回転させて、多数個の表示部510中のひとつの表示部510でハンドル部420を停止させた後、回転加圧力を解除すると、ハンドル部420が回転した角度によって、ポンプのガイド突起313の傾斜面上での加圧突起460、621の位置が決定され、加圧突起460、621が位置するポンピングガイド突起313の斜面の高さによって、ポンピング部材300のストローク距離が決まり、内容物の吐出量が決まる。この時、内容物の吐出量は、ハンドル部420の回転角度が大きいほど、より大きくなる。 
【００５１】
一方、ユーザがハンドル部420を操作する加圧力を解除すると、スプリング（S）の弾性力によってポンプ本体310が上部に移動し、この上部に移動する過程で、加圧突起460、621がポンピングガイド突起313の傾斜面に沿って加圧時とは反対方向に移動し、次のポンピング動作のための状態に戻される。 
【実施例２】
【００５２】
以下では、図9〜12を参照して、本発明の他の実施例に係る真空ポンプを具備するクリームタイプ化粧品容器及びその使用方法を説明する。 
【００５３】
図9は、本発明の他の実施例に係る、真空ポンプを具備するクリームタイプ化粧品容器の構成を示す分解斜視図であり、図10〜12は、本発明の他の実施例に係る、真空ポンプを具備するクリームタイプ化粧品容器の使用方法を示す説明図である。 
【００５４】
図9〜12を参照すると、本発明の他の実施例に係る真空ポンプを具備するクリームタイプ化粧品容器は、回転吐出部400の加圧突起460を中心にポンピングガイド突起313が両側に形成されることを特徴とし、これによって、ハンドル部420を両方向へ移動することが可能になることで、右利きだけでなく、左利きのユーザもハンドル部420を操作し易くなり、ユーザの利便性を向上することができる。 
【００５５】
使用方法を詳細に説明すると、右利きの場合、図11に示すように、ハンドル部420を一方の側へ回転させると、回転吐出部400が一方の側に回転することにより、加圧突起460、621がポンピングガイド突起313の傾斜面に沿って移動し、ポンピング部材300のポンピング動作によって内容物の吐出が行われ、この時、ユーザがハンドル部420を回転させ、多数個の表示部510中のひとつの表示部510でハンドル部420を止めることで、内容物の吐出量を調節することができる。
【００５６】
一方、左利きの場合、図12に示すように、ハンドル部420を他方の側へ回転させると、回転吐出部400が他方の側へ回転することにより、加圧突起460、621がポンピングガイド突起313’の傾斜面に沿って移動し、ポンピング部材300のポンピング動作によって内容物の吐出が行われる。この時、ユーザがハンドル部420を回転させる途中で、多数個の表示部510’中の一つの表示部510’でハンドル部420を止めることで、内容物の吐出量を調節することができる。 
【００５７】
その他、残りの構成は、前述した本発明の好ましい実施例と、その機能および構造が同一であるため、詳細な説明は省略する。 
【００５８】
図面と明細書で最適の実施例を開示した。ここで特定の用語を用いたが、これは単に本発明を説明するための目的で用いたものであり、意味の限定や特許請求の範囲に記載された本発明の範囲を限定するために用いたものではない。したがって、当該技術分野の通常の知識を有する者であれば、多様な変形及び均等な他の実施例が実現可能であることを理解すべきである。したがって、本発明の真の技術的保護範囲は、添付された特許請求の範囲の技術的思想によって定められるべきである。
【図１】
2017512520.tif 000003
【図２】
2017512520.tif 000004
【図３】
2017512520.tif 000005
【図４】
2017512520.tif 000006
【図５】
2017512520.tif 000007
【図６】
2017512520.tif 000008
【図７】
2017512520.tif 000009
【図８】
2017512520.tif 000010
【図９】
2017512520.tif 000011
【図１０】
2017512520.tif 000012
【図１１】
2017512520.tif 000013
【図１２】
2017512520.tif 000014
【国際調査報告】
2017512520.tif 000015
2017512520.tif 000016
2017512520.tif 000017
2017512520.tif 000018